(57)【要約】      （修正有）【課題】双極性の針型マイクロ波手術器であって、マイクロ波を利用し、生体組織の深部において止血、凝固能に優れたマイクロ波手術器を提供する。【解決手段】２極式の針型マイクロ波手術器であって、該手術器の先端部が、同軸ケーブルであるマイクロ波伝送用中心導体１、絶縁体２、及び外部導体３を含む構造からなり、該中心導体が繋がる先端部に先端が円錐状の円柱型の先端具５（以下先端具という）が設置され、該先端具５は最大直径部１．６〜２．７ｍｍ、円柱状の部分を含めた長さが５〜２２ｍｍ、円錐の鋭角度は３８〜４２度であり、マイクロ波の印加によって、対象物の２〜２２ｍｍの深さまで凝固が可能であるマイクロ波手術器。【選択図】図２
2010259600.tif 000002
【特許請求の範囲】
【請求項１】
２極式の針型マイクロ波手術器であって、該手術器の先端部が、同軸ケーブルであるマイクロ波伝送用中心導体、絶縁体、及び外部導体を含む構造からなり、該中心導体が繋がる先端部に先端が円錐状の円柱型の先端具（以下先端具という）が設置され、該先端具は最大直径部１．６〜２．７ｍｍ、円柱状の部分を含めた長さが５〜２２ｍｍ、円錐の鋭角度は３８〜４２度であり、マイクロ波の印加によって、対象物の２〜２２ｍｍの深さまで凝固が可能であるマイクロ波手術器。
【請求項２】
電力源と先端部を繋ぐ同軸ケーブルは、屈曲可能であって、内視鏡への挿入可能な長さ（約１５００〜１８００ｍｍ）をもち、その外径が２．５ｍｍである請求項１の用具。
【発明の詳細な説明】
【技術分野】
【０００１】
本発明は、マイクロ波を利用した医療用手術器、すなわち針型フレキシブルマイクロ波手術器に関する。
【背景技術】
【０００２】
生体組織の手術に高周波用とされる双極型（バイポーラ型）の手術器は種々利用されている。マイクロ波手術器として、マイクロ波伝送用内部導体にマイクロ波照射用中心電極（導体）を構成する生体組織の切開、切離、切除等の手術刃を接続し、手術刃の先端部を残して絶縁体で手術刃を被覆し、絶縁体の外側に先細り筒状の外部電極（導体）を設け、外部導体をマイクロ波伝送用外部導体に接続したものが開示されている。そして、各種の先端部の形状により、生体組織の止血、凝固を達成している（株式会社アズウェル  内視鏡電極  取り扱い説明書）。しかしながら、その先端形状は、モノポーラ型の場合、針、球、楕円等であった。先端形状が、円錐状のマイクロ波手術用電極装置として、日本特許第4068399号がある。これはモノポーラ型の手術器である。
【先行技術文献】
【特許文献】
【０００３】
【特許文献１】日本特許第4068399号
【非特許文献】
【０００４】
【非特許文献１】株式会社アズウェル  内視鏡電極  取り扱い説明書2002年10月25日
【発明の概要】
【発明が解決しようとする課題】
【０００５】
本発明の課題は、双極性の針型マイクロ波手術器であって、マイクロ波を利用し、生体組織の深部において止血、凝固能に優れたマイクロ波手術器を提供することである。
【課題を解決するための手段】
【０００６】
本発明者らは、上記課題を解決するために鋭意研究を重ねた結果、手術器の先端部が、マイクロ波伝送用中心導体、絶縁体、及び外部導体によって構成され、該中心導体が繋がる先端部に先端が円錐状の円柱型の先端具（以下針という）が設置され、該針は最大直径部１．６〜２．７ｍｍ、円柱状の部分を含めた長さが５〜２２ｍｍ、円錐の鋭角度は３８〜４２度であり、マイクロ波の印加によって、対象物の２〜２２ｍｍの深さまで凝固が可能であるマイクロ波手術器を提供しうることに成功し、本発明を完成した
本発明は、以下からなる；
１．
２極式の針型マイクロ波手術器であって、該手術器の先端部が、同軸ケーブルであるマイクロ波伝送用中心導体、絶縁体、及び外部導体を含む構造からなり、該中心導体が繋がる先端部に先端が円錐状の円柱型の先端具（以下先端具という）が設置され、該先端具は最大直径部１．６〜２．７ｍｍ、円柱状の部分を含めた長さが５〜２２ｍｍ、円錐の鋭角度は３８〜４２度であり、マイクロ波の印加によって、対象物の２〜２２ｍｍの深さまで凝固が可能であるマイクロ波手術器。
２．
電力源と先端部を繋ぐ同軸ケーブルは、屈曲可能であって、内視鏡への挿入可能な長さ（約１５００〜１８００ｍｍ）をもち、その外径が２．５ｍｍである前項１の用具。
【発明の効果】
【０００７】
本発明のマイクロ波手術器は、操作し易く、マイクロ波処置により止血、凝固等を２〜１２ｍｍの深さまで効果的に行うことができる。また、本発明のマイクロ波手術器は、対象物以外の部位にマイクロ波の不要放射をしない構造からなることにより、無駄なく効果的に機能を達成しうる。
【図面の簡単な説明】
【０００８】
【図１】本発明のマイクロ波手術器の全体図である。
【図２】マイクロ波手術器の先端構造である。
【発明を実施するための形態】
【０００９】
以下に本発明の実施形態を、添付図面を参照しながら説明する。ただし、これらの図は本発明の内容を象徴的に示す一例であって、本発明はこれらに限定されるものではない。
【００１０】
本発明のマイクロ波手術器の代表例を図１〜２に示す。本マイクロ波手術器は、先端部形態に特徴があり、この形態をとることにより、従来にない効果（対象物の２〜２２ｍｍの深さまで凝固が可能）を達成できる。本マイクロ波手術器は、同軸状のケーブルからなるマイクロ波伝送部でマイクロ波発生装置と接続されている。本マイクロ波手術器の先端部は、マイクロ波伝送用中心導体、絶縁体、及び外部導体（外部電極）によって構成され、該中心導体は、先端が円錐状の円柱型の先端具（以下針という）で包み込まれ、先端具は最大直径部１．６〜２．７ｍｍ、円柱状の部分を含めた長さが５〜２２ｍｍ、円錐の鋭角度は３８〜４２度である。特に、先端具は、鋭角度が３８〜４２度、より好ましくは３９〜４１度であること、及び円錐部及び円柱部を含めた長さが好ましくは５〜８ｍｍ、より好ましくは５〜７ｍｍであることが、格別の効果を達成する。
【００１１】
本発明において、中心導体及び外部導体は、いわゆる電気伝導体によって調製される。そして、伝導体は好適には、非磁性体材料で形成されていることが好ましい。非磁性体材料とは、具体例として、黄銅（銅＋スズ）、リン青銅（銅＋スズ＋リン）、銅、亜鉛、金、銀合金等があげられる。絶縁体は、いわゆる耐熱性の電気あるいは熱を通しにくい性質を持つ物質であれば特に限定はない。耐熱温度は、略１２０℃以上であればよく特に限定されない。本願発明の特徴である、先端具は、上記電気伝導体で調製される。
【００１２】
出力源と先端部を繋ぐ同軸ケーブルは、マイクロ波伝送部となり、チューブ状の軟性の屈曲可能なケーブルとすることができる（同軸ケーブルを包み込むチューブ）。軟性のケーブルとすることで、本発明の手術器を、内視鏡および／またはカテーテルなどに挿入することが可能となる。
【００１３】
本発明のマイクロ波手術器は、出力源から同軸ケーブルを経て先端具によってマイクロ波が対象生体組織等に印加される。本発明において、印加される電圧は３０Ｖ〜６０Ｖである。６０Ｖより高ければ、組織に及ぼす損傷が大きくなり、適切でないからである。また、３０Ｖ未満では、止血効果が十分ではないからである。
【００１４】
図１は本発明のマイクロ波手術器本体の側面図である。先端部は、略１２ｍｍの長さ、径２．５ｍｍを有し、その先に円錐型の針を持つ。
図２は、本発明の先端具５を含む先端部４の詳細構造を示す。図２において、左から同軸ケーブルを包む、PTFFチューブ（外径：３．５ｍｍ、内径：２．５ｍｍ）と先端において生体内に挿入される移動部である先端部４（略１２ｍｍ）を示す。同軸ケーブルは、中心に中心導体１、中心導体を包み込む絶縁体２、その外側に外部導体３からなる層構造を持つ。先端部４では、針状に突出した中心導体１と、中心導体の先端を露出した状態で中心導体を包み込む絶縁体２と、さらに先端具５からなる。先端具５は、略４０度の鋭角度の円錐を先端にもつ円柱によって中心導体１と絶縁体部２を包み込む形状で装填されてなる。先端部４は、チューブとの接続部を含み略１２．５ｍｍ、径２．５ｍｍであり、最先端から略６ｍｍ相当部までの中心導体１と絶縁体部２を包み込む。図中８は、外部電極であり、生体内に刺入させマイクロ波を印加した後の受け手側電極である。
【００１５】
使用にあたっては、出力コネクターと本発明手術器を接続し、先端部を例えば内視鏡を通して、目的の組織に接触させ、先端部を略１２ｍｍ組織内に刺入させ、マイクロ波を印加し、目的組織を略１２ｍｍの深さまで凝固させ、その後先端部を抜去する。これにより、組織は、深部で約１５ｍｍ径で凝固が達成できた。
【産業上の利用可能性】
【００１６】
以上説明したように、本発明のマイクロ波手術器は、医療分野での外科的処置領域において、対象物である生体組織等にマイクロ波が印加されることで、生体組織の深部で広い範囲で止血、凝固能を有する。したがって、本マイクロ波手術器は、操作しやすく、止血、凝固を一回の処置で達成しうる手術器である。また、ミストや煙が出ず、止血能が極めて強く優れており、限られた腹腔内空間での手術器として適している。
【符号の説明】
【００１７】
１    中心導体
２    絶縁体
３    外部導体
４    先端部
５    先端具
８    外部電極
【図１】
2010259600.tif 000003
【図２】
2010259600.tif 000004